(57)【要約】【課題】ノイズ抑制フィルターを構成するコンデンサとフィルターボックスの側壁部との間に発生する隙間を抑えたマグネトロン装置の製造方法を提供すること。【解決手段】外側に突出する固定用シャーシ板１６を設けたコンデンサ１５と、このコンデンサ１５とともにノイズ抑制フィルター１３を構成するチョークコイル１４と、ノイズ抑制フィルター１３を収納し、側壁部１２に設けた貫通穴１８の部分をコンデンサ１５が貫通するフィルターボックス１１とを具備したマグネトロン装置の製造方法において、フィルターボックス１１の貫通穴１８を設けた側壁部１２を内側に凸の曲面になるように変形させる第１工程と、凸の曲面に変形させた側壁部１２の貫通穴１８にコンデンサ１５を通す第２工程と、側壁部１２に形成した凸の曲面Ｒを平坦な面になるように押し戻す第３工程とを有する。【選択図】図１
2007122939.tif 000002
【特許請求の範囲】
【請求項１】
外側に突出する固定用シャーシ板を設けたコンデンサと、このコンデンサとともにノイズ抑制フィルターを構成するチョークコイルと、前記ノイズ抑制フィルターを収納し、側壁部に設けた貫通穴の部分を前記コンデンサが貫通するフィルターボックスとを具備したマグネトロン装置の製造方法において、前記フィルターボックスの貫通穴を設けた側壁部を内側に凸の曲面になるように変形させる第１工程と、凸の曲面に変形させた前記側壁部の貫通穴に前記コンデンサを通す第２工程と、前記側壁部に形成した凸の曲面を平坦な面になるように押し戻す第３工程とを有するマグネトロン装置の製造方法。
【請求項２】
第３工程の後、コンデンサの外側に突出する固定用シャーシ板と貫通穴を設けたフィルターボックスの側壁部とを固定する工程を有する請求項１記載のマグネトロン装置の製造方法。
【発明の詳細な説明】
【技術分野】
【０００１】
本発明はマグネトロン装置の製造方法に関する。
【背景技術】
【０００２】
マグネトロン装置は、高周波を発生するマグネトロンを組み込んだ装置で、たとえば食品の調理や解凍を行う電子レンジ用の加熱源などに使用されている。
【０００３】
ここで、従来のマグネトロン装置について図２を参照して説明する。図２は側面図で、線分Ｍ−Ｍはマグネトロン２１の管軸を示している。マグネトロン２１は高周波を発生する電子管で、マグネトロン２１の上方に、高周波を外部に取り出す出力部２２が突出している。出力部２２はアンテナなどから構成されている。マグネトロン２１の下方に入力部２３が突出している。入力部２３は入力用リード線２３ａやこの入力用リード線２３ａが貫通する陰極ステム２３ｂなどから構成されている。
【０００４】
マグネトロン２１の周囲には、複数の冷却フィンからなるラジエター２４が配置されている。マグネトロン２１の上下に環状の永久磁石２５、２６が配置されている。また、永久磁石２５、２６やラジエター２４を包囲するように磁気ヨーク２７が設けられている。
【０００５】
マグネトロン２１の下方にフィルターボックス２８が設けられている。フィルターボックス２８は、たとえば四角形状に配置した４個の平坦な側壁部２８ａおよび側壁部２８ａの開口を封止する底部２８ｂなどから構成されている。フィルターボックス２８内にはマグネトロン２１の入力部、たとえば陰極ステム２３ｂやノイズ抑制フィルター２９などが収納されている。
【０００６】
ノイズ抑制フィルター２９はチョークコイル３０およびコンデンサ３１などから構成されている。チョークコイル３０はたとえば２個設けられ、一方のチョークコイルはマグネトロンを構成する陰極の一端に接続し、他方のチョークコイルは陰極の他端に接続している。コンデンサ３１はフィルターボックス２８の側壁部２８ａの１つに設けた貫通穴を貫通している。また、コンデンサ３１には、マグネトロンの陰極に電力を供給するための高圧端子３２が、コンデンサ３１の端面から突出する形に設けられている。
【０００７】
次に、上記したノイズ抑制フィルター２９をフィルターボックス２８に取り付ける方法について図３を参照して説明する。図３は、図２に対応する部分に同じ番号を付し重複する説明を一部省略する。なお、図３のフィルターボックス２８は、図２と上下が逆に示されている。
【０００８】
コンデンサ３１には、外側に突出する固定用シャーシ板３３が設けられている。固定用シャーシ板３３は、その一方の面全体がたとえばフィルターボックス２８の側壁部２８ａの内面に接するように配置されている。一方、側壁部２８ａには複数のバーリング穴（図示せず）が設けられている。そして、側壁部２８ａのバーリング穴を、固定用シャーシ板３３に設けた固定用穴に通し、たとえばバーリング穴の先端を押しつぶすなど変形し、固定用シャーシ板３３をカシメ止めする。
【０００９】
上記した構造のマグネトロン装置は特許文献１などに開示されている。
【特許文献１】特開平１０−２６９９５５号公報
【発明の開示】
【発明が解決しようとする課題】
【００１０】
従来のマグネトロン装置は、ノイズ抑制フィルターをフィルターボックスに固定する場合、たとえばフィルターボックスの側壁部に設けた貫通穴にコンデンサを通し、コンデンサの固定用シャーシ板とフィルターボックスの側壁部をカシメ止めしている。この方法は、固定する面に凹凸があったり、あるいは、固定方法や固定状態が悪かったりすると、コンデンサの固定用シャーシ板とフィルターボックスの側壁部との間に隙間が生じ、その隙間から不要ノイズが漏れるなどの不具合が発生する。
【００１１】
本発明は、上記した欠点を解決し、ノイズ抑制フィルターを構成するコンデンサとフィルターボックスの側壁部との間に発生する隙間を抑えたマグネトロン装置の製造方法を提供することを目的とする。
【課題を解決するための手段】
【００１２】
本発明のマグネトロン装置の製造方法は、外側に突出する固定用シャーシ板を設けたコンデンサと、このコンデンサとともにノイズ抑制フィルターを構成するチョークコイルと、前記ノイズ抑制フィルターを収納し、側壁部に設けた貫通穴の部分を前記コンデンサが貫通するフィルターボックスとを具備したマグネトロン装置の製造方法において、前記フィルターボックスの貫通穴を設けた側壁部を内側に凸の曲面になるように変形させる第１工程と、凸の曲面に変形させた前記側壁部の貫通穴に前記コンデンサを通す第２工程と、前記側壁部に形成した凸の曲面を平坦な面になるように押し戻す第３工程とを有する。
【発明の効果】
【００１３】
本発明は、まず、フィルターボックスの貫通穴を設けた側壁部を内側に凸になる曲面に変形している。その後、フィルターボックスの貫通穴にコンデンサを通し、さらに側壁部に設けた凸曲面を押し戻し、たとえば平坦な面に変形している。この場合、外側に突出するコンデンサの固定用シャーシ板が、最初、変形した凸曲面の頂点に接触する。その後、固定用シャーシ板の面が、側壁部の頂点領域から徐々にその外側へと滑らかに接触する。したがって、ノイズ抑制フィルターを構成するコンデンサとフィルターボックスの側壁部との間の隙間の発生が抑えられ、不要ノイズが低減する。
【発明を実施するための最良の形態】
【００１４】
本発明の実施形態について、フィルターボックスの部分を抜き出した図１を参照して説明する。図１（ａ）は側面図、図１（ｂ）は正面図で、図１（ａ）、（ｂ）はノイズ抑制フィルターをフィルターボックスに固定する前の状態を示している。
【００１５】
図１（ａ）に示すように、フィルターボックス１１はたとえば四角形状に配置した４個の平坦な側壁部１２などから構成されている。フィルターボックス１１内にはノイズ抑制フィルター１３が収納される。ノイズ抑制フィルター１３はたとえばチョークコイル１４およびコンデンサ１５などから構成されている。コンデンサ１５には、外側に突出する固定用シャーシ板１６が設けられている。固定用シャーシ板１６には、後述するように、フィルターボックス１１の側壁部１２に設けるたとえば４個のバーリング穴に対応する位置に、固定用穴（図示せず）が形成されている。また、マグネトロンの陰極に電力を供給する高圧端子１７が、コンデンサ１５の端面から突出する形に設けられている。
【００１６】
フィルターボックス１１は、図１（ｂ）に示すように、たとえば側壁部１２の１つにコンデンサ１５が通る貫通穴１８が形成され、貫通穴１８の周囲に、たとえば４個のバーリング穴１９が設けられる。
【００１７】
そして、ノイズ抑制フィルター１３をフィルターボックス１１に固定する場合、図１（ａ）を上方から見た図１（ｃ）、および図１（ｃ）をその左横方向から見た図１（ｅ）に示すように、フィルターボックス１１の１つの側壁部、たとえば貫通穴１８を形成した側壁部１２に対して、矢印Ｙ１方向に力を加え、その側壁部１２を内側に凸の曲面Ｒに変形させる。なお、図１（ｃ）にはマグネトロンの入力部、たとえばステム部２０が示されている。
【００１８】
その後、ノイズ抑制フィルター１３のコンデンサ１５を、フィルターボックス１１の側壁部１２に設けた貫通穴１８に通す。さらに、コンデンサ１５を矢印Ｙ２方向に移動し、コンデンサ１５の固定用シャーシ板１６を、曲面Ｒに変形させた側壁部１２の頂点に接触させる。
【００１９】
その後、コンデンサ１５に対して、さらに矢印Ｙ２方向に力を加え、曲面Ｒを外側に押し戻し、図１（ｄ）に示すように、たとえば側壁部１２を平坦な形状に成形する。このとき、固定用シャーシ板１６のたとえば面全体が側壁部１２と接触する。その後、固定用シャーシ板１６の固定用穴に挿入された側壁部１２のバーリング穴１９の先端を変形し、固定用シャーシ板１６のたとえば４箇所をカシメ止めする。
【００２０】
上記した方法によれば、ノイズ抑制フィルター１３をフィルターボックス１１に固定する場合、コンデンサ１５の外側に突出する固定用シャーシ板１６が、まず、凸曲面Ｒに変形した側壁部１２の頂点部分、たとえば貫通穴１８周辺に接触する。その後、固定用シャーシ板１６のたとえば面全体が、側壁部１２の貫通穴１８周辺からその外側領域へと徐々に滑らかに接触する。したがって、ノイズ抑制フィルター１３を構成するコンデンサ１５とフィルターボックス１１の側壁部１２との間の隙間の発生が抑えられ、不要ノイズが低減する。
【００２１】
たとえば、上記したように、フィルターボックス１１の側壁部１２を凸曲面に形成してコンデンサ１５を固定する方法は、凸曲面を形成しない場合に比べると、不要輻射のバックワード（Backward）第５高調波のレベルが平均で８ｄＢｍ、最大で１４ｄＢｍ低下し、不要ノイズが低減した。
【００２２】
なお、側壁部１２を内側に凸の曲面Ｒに形成する場合は、たとえばプレスなどの方法でフィルターボックスに貫通穴を切り抜いた後に、その貫通穴を切り抜いた側壁部１２について内側に押し込み成形を実施し、バーリング穴の部分を含め貫通穴側に向って滑らかな凸曲面になるようにする。この場合、貫通穴１８の周辺が、たとえば側壁部１２の外周部よりも内側に０．３〜０．７ｍｍ程度凹むような曲面に形成する。
【００２３】
上記した実施形態の場合、凸曲面に形成した側壁部を、たとえば平坦な面になるように押し戻している。したがって、側壁部にスプリングのような力が作用する。その結果、貫通穴の内縁がコンデンサの外周面に圧着し、ノイズ抑制フィルターが強固に固定される。
【図面の簡単な説明】
【００２４】
【図１】本発明の実施形態を説明するための概略図である。
【図２】本発明を適用するマグネトロンを説明するための側面図である。
【図３】従来例を説明するための概略図である。
【符号の説明】
【００２５】
１１…フィルターボックス
１２…側壁部
１３…ノイズ抑制フィルター
１４…チョークコイル
１５…コンデンサ
１６…固定用シャーシ板
１７…高圧端子
１８…貫通穴
１９…バーリング穴
２０…ステム部
Ｒ…凸の曲面
【図１】
2007122939.tif 000003
【図２】
2007122939.tif 000004
【図３】
2007122939.tif 000005